(57)【要約】【課題】表示すべき情報が複数あるときに、表示の切り替えを容易に行うことができる、情報端末を提供すること。【解決手段】自装置の傾きを判定する傾き取得部と、前記傾き取得部が、傾きが水平であると判定したときは、水平に対応した情報を取得し、表示させる水平マップ情報表示処理部と、前記傾き取得部が、傾きが垂直であると判定したときは、水平に対応した情報を取得し、表示させる垂直マップ情報表示処理部と、を備えることを特徴とする。水平マップ情報表示処理部は、情報端末の傾きが水平の場合、水平に対応した表示処理を行う。垂直マップ情報表示処理部は、情報端末の傾きが垂直の場合、垂直に対応した表示処理を行う。【選択図】図１
2014138387.tif 000002
【特許請求の範囲】
【請求項１】
自装置の傾きを判定する傾き取得部と、
前記傾き取得部が、傾きが水平であると判定したときは、水平に対応した情報を取得し、表示させる水平マップ情報表示処理部と、
前記傾き取得部が、傾きが垂直であると判定したときは、垂直に対応した情報を取得し、表示させる垂直マップ情報表示処理部と、
を備えることを特徴とする、情報端末。
【請求項２】
前記水平に対応した情報は、フロアマップであり、
前記垂直に対応した情報は、各階情報であること、
を特徴とする請求項１に記載の情報端末。
【請求項３】
自装置の現在地を取得する位置検出部を備え、
前記水平マップ情報表示処理部は、前記フロアマップを表示する際に、前記フロアマップ内に前記取得した現在地を示すマークを表示させ、
前記垂直マップ情報表示処理部は、前記各階情報を表示する際に、前記各階情報内に前記取得した現在地が属する階を示すマークを表示させること、
を特徴とする請求項２に記載の情報端末。
【請求項４】
自装置の傾きを判定する第１の過程と、
前記第１の過程が、傾きが水平であると判定したときは、水平に対応した情報を取得し、表示させる第２の過程と、
前記第２の過程が、傾きが垂直であると判定したときは、垂直に対応した情報を取得し、表示させる第３の過程と、
を備えることを特徴とする、情報表示方法。
【請求項５】
コンピュータを、請求項１から請求項３のうちいずれか一項に記載の情報端末、として機能させるためのプログラム。
【発明の詳細な説明】
【技術分野】
【０００１】
この発明は、情報端末、情報表示方法及びプログラムに関する。
【背景技術】
【０００２】
従来から、ＧＰＳセンサー等を利用して位置情報を取得できる情報端末には、ＧＰＳ等からの情報を基にして、現在地を検出し、周辺マップとともに、必要度の高いと考えられる周辺情報を表示するものがある。
【０００３】
例えば、特許文献１には、ＧＰＳセンサー等から得られる位置情報と、マップ情報とを比較することで、現在地が屋内か屋外かを判断し、屋内では当該建物内でより必要度の高いと考えられる店舗情報を優先して表示することや、屋外では重要度の高い地図情報を表示することを目的とした技術が開示されている。
【先行技術文献】
【特許文献】
【０００４】
【特許文献１】特開２０１１−７５４０２号公報
【発明の概要】
【発明が解決しようとする課題】
【０００５】
ところで、上記特許文献１に記載された技術は、例えば屋内において、表示すべき情報が複数あるときには、表示の切り替えを容易に行うことができないという問題がある。
【０００６】
そこで本発明は、上記従来技術の欠点に鑑みてなされたものであり、表示すべき情報が複数あるときに、表示の切り替えを容易に行うことができる、情報端末、情報表示方法及びプログラムを提供することにある。
【課題を解決するための手段】
【０００７】
この発明は、上記問題を解決するためになされたもので、本発明の一態様は、自装置の傾きを判定する傾き取得部と、前記傾き取得部が、傾きが水平であると判定したときは、水平に対応した情報を取得し、表示させる水平マップ情報表示処理部と、前記傾き取得部が、傾きが垂直であると判定したときは、垂直に対応した情報を取得し、表示させる垂直マップ情報表示処理部と、を備えることを特徴とする、情報端末である。
【発明の効果】
【０００８】
本発明によれば、表示すべき情報が複数あるときに、表示の切り替えを容易に行うことができる、情報端末、情報表示方法及びプログラムを提供することができる。
【図面の簡単な説明】
【０００９】
【図１】本発明の一実施形態に係る情報端末の構成を示すブロック図である。
【図２】本実施形態における現在地情報の取得から垂直マップ情報および水平マップ情報の表示までを示すフローチャートである。
【図３】本実施形態における水平方向を向いた情報端末と現在地階のフロアマップである水平マップ情報の表示を示すイメージ図である。
【図４】本実施形態における垂直方向を向いた情報端末と各階店舗情報表示である垂直マップ情報の表示を示すイメージ図である。
【発明を実施するための形態】
【００１０】
＜第１の実施形態＞
以下では、本発明の一実施形態について、図面を参照して詳細に説明する。
図１は、本実施形態における情報端末１００の概略ブロック図である。
本実施形態に係る情報端末１００は、マップアプリケーション１０１と、位置検出部１０２と、傾き検出部１０３と、表示パネル１０４を備える。また、情報端末１００は、マップ情報サーバ１０５と、ネットワーク１０６を介して繋がっている。
【００１１】
マップアプリケーション１０１は、情報端末１００上で機能する、情報端末１００が現在位置している場所（以降、現在地という）およびその周辺の地図を表示するためのアプリケーションである。マップアプリケーション１０１は、屋内・屋外判定部１１１と、傾き取得部１１２と、垂直マップ情報表示処理部１１３と、屋内垂直位置判定部１１４と、水平マップ情報表示処理部１１５と、屋内水平位置判定部１１６とを備える。
【００１２】
屋内・屋外判定部１１１は、位置検出部１０２から、情報端末１００の現在地の緯度と、経度と、高度とを含んだ情報（以降、現在地情報という）を予め決められたある時間間隔で受ける。位置検出部１０２は、情報端末１００の現在地情報を検出する。位置検出部１０２は、ＧＰＳ受信部１２１と、携帯無線受信部１２２と、無線ＬＡＮ受信部１２３と、緯度経度高度算出部１２４とを備える。ＧＰＳ受信部１２１は、ＧＰＳセンサーによって、情報端末１００の位置する緯度と経度の情報を算出するための、ＧＰＳ情報、例えば時刻情報と衛星軌道データ等を取得する。
【００１３】
携帯無線受信部１２２は、携帯電話の無線基地局の電波を受信することで、情報端末１００の緯度と経度の情報を算出するための、無線基地局の位置や電波の強さの情報（以降、無線基地局情報という）を取得する。無線ＬＡＮ受信部１２３は、無線ＬＡＮルータからの電波を受信することで、情報端末１００の高度の情報を算出するための、無線ＬＡＮルータの位置や電波の強さの情報（以降、無線ＬＡＮ情報という）を取得する。緯度経度高度算出部１２４は、ＧＰＳ情報、無線基地局情報、無線ＬＡＮ情報に基づいて、情報端末１００の現在地情報を算出する。
【００１４】
緯度経度高度算出部１２４は、ＧＰＳ受信部１２１からのＧＰＳ情報と、携帯無線受信部１２２からの無線基地局情報と、無線ＬＡＮ受信部からの無線ＬＡＮ情報とを取得し、情報端末１００の現在地情報を算出する。緯度経度高度算出部１２４は、該現在地情報を算出すると、屋内・屋外判定部１１１に出力する。
屋内・屋外判定部１１１は、緯度経度高度算出部１２４から、該現在地情報を受けると、ネットワーク１０６を介して、マップ情報サーバ１０５から、屋外マップ情報を読み込み、現在地情報と比較することで、情報端末１００の現在地が屋内なのか屋外なのかを判定する。
【００１５】
屋外マップ情報は、緯度、経度、高度に対応するマップ上の各座標に割り当てられた、建物の存在位置や高さ、道路の位置などの情報が記載された、マップアプリケーション１０１によって表示パネル１０４に表示されるマップ情報である。表示パネル１０４は、情報端末１００に表示するためのドキュメント等を表示するディスプレイである。屋内・屋外判定部１１１は、屋外マップ情報記憶部１５１から、屋外マップ情報を取得すると、現在地情報と比較することで、現在地が屋内なのか否かを判定することができる。
マップ情報サーバ１０５は、屋外マップ情報記憶部１５１と、垂直マップ情報記憶部１５２と、水平マップ情報記憶部１５３とを備える。マップ情報サーバ１０５は、マップアプリケーション１０１の各部の要求に従い、マップ情報サーバ１０５の各記憶部に記憶された各々のマップ情報を、該要求を出力したマップアプリケーション１０１の各部へと送信するサーバである。
【００１６】
屋外マップ情報記憶部１５１は、屋外マップ情報を格納している。垂直マップ情報記憶部１５２は、垂直マップ情報を格納している。垂直マップ情報は、様々な建物内の各階情報であり、各々の階には高度範囲が割り当てられており、該高度範囲と情報端末１００の高度情報を比較することで、情報端末１００の現在地階を判定することができる。また、垂直マップ情報は、建物の各階情報とともに、情報端末１００の建物内における現在地階を表示するのに使われる。水平マップ情報記憶部１５３は、水平マップ情報を格納している。水平マップ情報は、様々な建物内の各階のフロアマップの情報であり、情報端末１００の緯度及び経度情報と比較することで、情報端末１００が建物内でのフロア上のどこに位置しているかを判定することができる。
【００１７】
ネットワーク１０６は、例えば、インターネットや移動体通信網などのネットワークであるが、これに限られるものではない。
屋内・屋外判定部１１１は、現在地を屋外と判定すると、屋外マップ情報内に、現在地情報に対応する点にマーク、例えば白く明滅する点などを追加する。それに加えて、屋内・屋外判定部１１１は、該マークが追加された屋外マップ情報を表示パネル１０４に表示する。
【００１８】
屋内・屋外判定部１１１は、現在地を屋内と判定すると、傾き取得部１１２に現在地情報を出力する。傾き取得部１１２は、傾き検出部１０３の垂直・水平判定部１３２から、情報端末１００のｚ軸が、水平面に対して平行なのか垂直なのかを判定した情報（以降、傾き情報という）を取得する。情報端末１００のｚ軸は、情報端末１００の表示パネル１０４の面に対して垂直な方向である。なお、情報端末１００のｘ軸とｙ軸は、各々、情報端末１００の外枠の長辺方向をｘ軸、短辺方向をｙ軸とする。
【００１９】
傾き検出部１０３は、情報端末１００の傾きを判定する。傾き検出部１０３は、ジャイロセンサー１３１と、垂直・水平判定部１３２とを備える。ジャイロセンサー１３１は、垂直・水平判定部１３２が、情報端末１００のｚ軸と、地面に平行な面との間の角度（以降、傾き角度という）を算出するために、情報端末１００の角速度の情報を検出するセンサーである。垂直・水平判定部１３２は、ジャイロセンサー１３１から定期的に角速度の情報を取得し、積算することで、情報端末１００の傾き角度を算出し、水平であるか垂直であるかを判定し、傾き情報を生成する。
【００２０】
垂直・水平判定部１３２は、情報端末１００の傾き角度を、予め決められた閾値と比較することで、情報端末１００の傾きが水平であるか垂直であるか判定する。なお、本実施形態において、閾値は予め決められているとしているが、これに限られない。例えば、ユーザが設定できるとしてもよい。また、本実施形態において、傾き情報は、常にｚ軸と水平な面との間の角度を示し、垂直・水平判定部１３２は、傾き情報が示す傾きが、閾値を超えているときは垂直と判定し、超えていないときは水平と判定する。
【００２１】
傾き取得部１１２は、垂直・水平判定部１３２から取得した傾き情報が垂直を示すときは、垂直マップ情報表示処理部１１３に動作を指示し、傾き情報が水平を示すときは、水平マップ情報表示処理部１１５に動作を指示する。
垂直マップ情報表示処理部１１３は、傾き取得部１１２から動作を指示されると、表示パネル１０４に、マップ情報サーバ１０５の垂直マップ情報記憶部１５２に格納されている垂直マップ情報を、情報端末１００の建物内での現在地階の情報とともに表示させる。
【００２２】
水平マップ情報表示処理部１１５は、情報端末１００の傾き情報が水平だった場合、表示パネル１０４に、マップ情報サーバ１０５の水平マップ情報記憶部１５３に格納されている、情報端末１００の建物内での現在地階に対応する水平マップ情報を、建物内での現在地階における情報端末１００の水平位置を示す情報とともに表示させる。
まず、該傾き情報が垂直であった場合を説明する。垂直マップ情報表示処理部１１３は、傾き取得部１１２から、垂直であることを示す傾き情報を受けると、屋内垂直位置判定部１１４から、ネットワーク１０６を介して、マップ情報サーバ１０５の垂直マップ情報記憶部１５２から垂直マップ情報を取得する。それに加えて、垂直マップ情報表示処理部１１３は、情報端末１００の建物内における現在地階の情報も取得する。
【００２３】
まず、屋内垂直位置判定部１１４は、マップ情報サーバ１０５の垂直マップ情報記憶部１５２から、垂直マップ情報を取得する。さらに、屋内垂直位置判定部１１４は、位置検出部１０２の緯度経度高度算出部１２４から、情報端末１００の現在地情報を取得し、垂直マップ情報記憶部１５２から取得した垂直マップ情報と比較することで、情報端末１００の現在地階を判定する。
【００２４】
屋内垂直位置判定部１１４は、垂直マップ情報表示処理部１１３から、垂直マップ情報取得指示の情報を受けると、ネットワーク１０６を介して、垂直マップ情報記憶部１５２から、垂直マップ情報を読み込む。屋内垂直位置判定部１１４は、垂直マップ情報記憶部１５２から、垂直マップ情報を受けると、緯度経度高度判定部１２４から現在地情報を読み込み、情報端末１００の現在地階を判定する。
【００２５】
屋内垂直位置判定部１１４は、情報端末１００の現在地階を判定すると、該現在地階の情報と、垂直マップ情報を、垂直マップ情報表示処理部１１３に出力する。
垂直マップ情報表示処理部１１４は、垂直マップ情報内に、該現在地階の情報に基づいて、現在地階を示すマークの情報を追加する。該マークの情報は、現在地階を他の階と異なる色にする情報でもよいが、これに限られるものではない。その後、垂直マップ情報表示処理部１１４は、表示パネル１０４に、現在地階を示すマークの情報を追加した、垂直マップ情報を表示する。
【００２６】
次に、該傾き情報が水平であった場合を説明する。水平マップ情報表示処理部１１５は、傾き取得部１１２から、傾き情報が水平である情報を受けると、屋内垂直位置判定部１１４から、情報端末１００の建物内における現在地階の情報を取得する。屋内垂直位置判定部１１４は、水平マップ情報表示処理部１１５から、現在地階の情報取得指示の情報を受けると、ネットワーク１０６を介して、垂直マップ情報記憶部１５２から、垂直マップ情報を読み込む。屋内垂直位置判定部１１４は、垂直マップ情報記憶部１５２から、垂直マップ情報を受けると、緯度経度高度判定部１２４から現在地情報を読み込み、情報端末１００の現在地階を判定する。
【００２７】
屋内垂直位置判定部１１４は、情報端末１００の現在地階を判定すると、該現在地階の情報を、水平マップ情報表示処理部１１５に出力する。水平マップ情報表示処理部１１５は、屋内垂直位置判定部１１４から、該現在地階の情報を受けると、屋内水平位置判定部１１６から、ネットワーク１０６を介して、マップ情報サーバ１０５の水平マップ情報記憶部１５３に格納されている該現在地階に対応する水平マップ情報を取得する。
【００２８】
屋内水平位置判定部１１６は、マップ情報サーバ１０５の水平マップ情報記憶部１５３から、水平マップ情報を取得する。また、屋内水平位置判定部１１６は、位置検出部１０２の緯度経度高度算出部１２４から、情報端末１００の現在地情報を取得し、水平マップ情報記憶部１５３から取得した水平マップ情報と比較することで、情報端末１００の建物内における水平方向の位置（以降、建物内現在地という）を判定する。
【００２９】
屋内水平位置判定部１１６は、水平マップ情報表示処理部１１５から、水平マップ情報取得指示の情報を受けると、ネットワーク１０６を介して、水平マップ情報記憶部１５３から、水平マップ情報を読み込む。屋内水平位置判定部１１６は、水平マップ情報記憶部１５３から、水平マップ情報を受けると、緯度経度高度判定部１２４から現在地情報を読み込み、情報端末１００の建物内現在地を判定する。
【００３０】
屋内水平位置判定部１１６は、情報端末１００の建物内現在地を判定すると、水平マップ情報と、該建物内現在地の情報とを、水平マップ情報表示処理部１１５に出力する。水平マップ情報表示処理部１１５は、屋内水平位置判定部１１６から、水平マップ情報と、該建物内現在地の情報とを受けると、水平マップ情報内に、建物内現在地の情報に基づいて、現在地を示すマークの情報を追加する。該マークの情報は、フロア内の現在地を表す点に、白く明滅する点を表示するのでもよいが、これに限られるものではない。
【００３１】
その後、水平マップ情報表示処理部１１５は、表示パネル１０４に、フロア内の現在地のマークの情報を追加した、水平マップ情報を表示する。
なお、マップアプリケーション１０１は、マップ情報サーバ１０５に対応する機能を持った構成要素を持っていてもよいが、その場合は、該構成要素は、ネットワーク１０６を介して、屋内マップ情報を常に新しいものに更新しているものとする。
【００３２】
図２は、マップアプリケーション１０１が現在地情報を取得してから、表示パネル１０４が、垂直マップ情報１５２または水平マップ情報１５３上に、各々の場合の現在地のマークを追加したものを表示するまでの流れを示すフローチャートである。以下、図２のフローチャートを用いて、該処理の流れの詳細を説明する。
（ステップＳＴ１００からＳＴ１１４）
マップアプリケーション１０１は、以下に示すステップＳＴ１０１からＳＴ１１３の処理を、マップアプリケーション１０１が起動されている間、繰り返し続ける。
【００３３】
（ステップＳＴ１０１）
屋内・屋外判定部１１１は、位置検出部１０２から現在地情報を取得する。屋内・屋外判定部１１１は、位置検出部１０２から現在地情報を取得すると、ステップＳＴ１０２の処理を実行する。
（ステップＳＴ１０２）
屋内・屋外判定部１１１は、該現在地情報を取得すると、情報端末１００の位置が屋内なのか屋外なのかを判定する。情報端末１００の位置が屋内のとき（ステップＳＴ１０２−Ｙｅｓ）は、ステップＳＴ１０３に遷移する。情報端末１００の現在地が屋外のとき（ステップＳＴ１０２−Ｎｏ）は、ステップＳＴ１０１に戻る。
【００３４】
（ステップＳＴ１０３）
屋内・屋外判定部１１１は、該現在地情報が屋内のとき、傾き取得部１１２から、傾き情報を取得する。傾き取得部１１２は、該傾き情報が垂直のとき、ステップＳＴ１０４の処理を実行する。傾き取得部１１２は、該傾き情報が水平のとき、ステップＳＴ１０８の処理を実行する。ステップＳＴ１０８の処理の詳細は後述する。
（ステップＳＴ１０４）
傾き取得部１１２は、傾き情報が垂直のとき、垂直マップ情報表示処理部１１３に、屋内垂直位置判定部１１４から、垂直マップ情報を取得させる。屋内垂直位置判定部１１４は、ネットワーク１０６を介して、マップ情報サーバ１０５から、垂直マップ情報を取得する。屋内垂直位置判定部１１４は、その後、ステップＳＴ１０５の処理を実行する。
【００３５】
（ステップＳＴ１０５）
屋内垂直位置判定部１１４は、マップ情報サーバ１０５から垂直マップ情報を取得すると、情報端末１００の建物内での現在地階を判定する。屋内垂直位置判定部１１４は、該現在地階の情報と、垂直マップ情報とを、垂直マップ情報表示処理部１１３に出力する。その後、垂直マップ情報表示処理部１１３は、ステップＳＴ１０６の処理を実行する。
（ステップＳＴ１０６）
垂直マップ情報表示処理部１１３は、屋内垂直位置判定部１１４から、該現在地階の情報と、垂直マップ情報とを受けると、垂直マップ情報に、現在地階を示すマークを追加する。その後、垂直マップ情報表示処理部１１３は、ステップＳＴ１０７の処理を実行する。
【００３６】
（ステップＳＴ１０７）
垂直マップ情報表示処理部１１３は、垂直マップ情報に、現在地階を示すマークを追加すると、表示パネル１０４に、現在地階を示すマークを追加した垂直マップ情報を表示する。
（ステップＳＴ１０８）
傾き取得部１１２は、傾き情報が水平のとき、垂直マップ情報表示処理部１１３に、屋内垂直位置判定部１１４から、垂直マップ情報を取得させる。屋内垂直位置判定部１１４は、ネットワーク１０６を介して、マップ情報サーバ１０５から、垂直マップ情報を取得する。屋内垂直位置判定部１１４は、その後、ステップＳＴ１０９の処理を実行する。
【００３７】
（ステップＳＴ１０９）
屋内垂直位置判定部１１４は、マップ情報サーバ１０５から垂直マップ情報を取得すると、情報端末１００の建物内での現在地階を判定する。屋内垂直位置判定部１１４は、該現在地階の情報を、水平マップ情報表示処理部１１５に出力する。その後、水平マップ情報表示処理部１１５は、ステップＳＴ１１０の処理を実行する。
【００３８】
（ステップＳＴ１１０）
水平マップ情報表示処理部１１５は、屋内垂直位置判定部１１４から、現在地階の情報を受けると、屋内水平位置判定部１１６から、水平マップ情報を取得させる。屋内水平位置判定部１１６は、ネットワーク１０６を介して、マップ情報サーバ１０５から、水平マップ情報を取得する。屋内水平位置判定部１１６は、その後、ステップＳＴ１１１の処理を実行する。
【００３９】
（ステップＳＴ１１１）
屋内水平位置判定部１１６は、マップ情報サーバ１０５から水平マップ情報を取得すると、情報端末１００の建物内現在地を判定する。その後、屋内水平位置判定部１１６は、水平マップ情報と、建物内現在地の情報とを水平マップ情報表示処理部１１５に出力する。その後、水平マップ情報表示処理部１１５は、ステップＳＴ１１２の処理を実行する。
【００４０】
（ステップＳＴ１１２）
水平マップ情報表示処理部１１５は、屋内水平位置判定部１１４から、建物内現在地の情報と、水平マップ情報とを受けると、水平マップ情報に、建物内現在地を示すマークを追加する。その後、水平マップ情報表示処理部１１３は、ステップＳＴ１１３の処理を実行する。
（ステップＳＴ１１３）
水平マップ情報表示処理部１１５は、水平マップ情報に、建物内現在地を示すマークを追加すると、表示パネル１０４に、建物内現在地を示すマークを追加した水平マップ情報を表示する。
【００４１】
図３を用いて、情報端末１００の傾き情報が水平だった場合、表示パネル１０４に水平マップ情報と建物内現在地情報がどのように表示されるかを説明する。
図３の１００は、情報端末１００である。図３の１０４は、表示パネル１０４である。
情報端末１００は、傾き情報が水平と判定される状態である。例えば、ユーザは、情報端末１００を使用中に、上から下に向かって表示パネル１０４を覗き込んでいる状態である。この場合、ユーザは立ち止まって目的地を探している場合が多いと考えられるため、表示パネル１０４は、水平マップ情報を表示する。表示パネル１０４は、ｍ２００のように、水平マップ情報を表示している。太線丸ｍ２０１は、水平マップ情報表示処理部１１５が、建物内現在地の情報を用いて追加した、情報端末１００の建物内現在地を示すマークである。
【００４２】
次に、図４を用いて、情報端末１００の傾き情報が垂直だった場合、表示パネル１０４に垂直マップ情報と現在地階がどのように表示されるかを説明する。
図４の１００は、情報端末１００である。図４の１０４は、表示パネル１０４である。
情報端末１００は、傾き情報が垂直と判定される状態である。例えば、情報端末１００の使用中に、情報端末１００を手で顔の高さあたりまで持ち上げ、ユーザが顔を前方に向けたまま、前方に情報端末１００の表示パネル１０４を見るような使用状態である。この場合、ユーザは歩きながら自分の現在地が何階なのかを考えている場合が多いと考えられる。したがって、情報端末１００は、表示パネル１０４に、垂直マップ情報を表示する。表示パネル１０４は、垂直マップ情報ｍ３００を表示している。太線ｍ３０１は、現在地階の情報を用いて表示した、情報端末１００の現在地階を示すマークである。
【００４３】
このように、本実施形態における情報端末１００は、建物の現在地階が分かる垂直マップ情報の表示と、現在地階における利便性の高い店舗情報である水平マップ情報の表示を、情報端末の傾け方のみによって、簡易に良好に切り替えられる。したがって、本実施形態では、ユーザは情報端末１００より、直感的で分かりやすい屋内の位置情報を簡易な操作で取得できる。また、ユーザは該取得情報を利用することで、例えば、近年増加している郊外型の大型ショッピングセンターで、迷うことなく目的地にたどり着くことができる
【００４４】
＜第２の実施形態＞
上記第１の実施形態では、情報端末１００に屋内垂直位置判定部１１４と、屋内水平位置判定部１１６とが内蔵されていたが、これらに限られるものではない。例えば、屋内垂直位置判定部１１４と、屋内水平位置判定部１１６とは、マップ情報サーバ１０５に内蔵されていてもよい。この場合、情報端末１００は、ネットワーク１０６を介して、位置検出部１０２が判定した現在地情報と、傾き検出部１０４が判定した傾き情報を、マップ情報サーバ１０５の中の屋内垂直位置判定部１１４、もしくは屋内水平位置判定部１１６に出力することで、現在地階の情報や建物内現在地の情報を取得することになる。
【００４５】
この場合、位置検出部１０２と、傾き検出部１０４とを内蔵しているすべての情報端末で、屋内における傾き情報に対応した表示変更処理を良好に行うことができるようになる。したがって、第２の実施形態でも、第１の実施形態と同様の効果が得られる。
なお、上記第１の実施形態と第２の実施形態では、屋内でのマップアプリケーション１０１によるマップ情報の表示に関して、情報端末の傾きを変えるだけで、情報端末１００の傾き情報に対応するマップ情報に切り替えることができる例を示したが、屋内で傾き情報に対応して行われる変更処理は、マップアプリケーション１０１に限定されるわけではない。
【００４６】
また、第２の実施形態において、屋外マップ情報記憶部１５１は、マップ情報サーバ１０５に内蔵されていたが、これに限られるものではない。例えば、マップ情報サーバ１０５とは別のサーバを用意し、それに内蔵することで、ネットワーク１０６を介して、情報端末の現在地が屋内か屋外かを判定してもよい。
また、第１の実施形態および第２の実施形態において、情報端末１００は、屋内・屋外判定部１１１によって屋外か屋内かを判定したのち、ネットワーク１０６を介して、マップ情報サーバからマップ情報を読み込んでいたが、これに限られるものではない。例えば、特定のデパート等のアプリケーションとして、最初から特定の建物内における使用を前提とした場合、該アプリケーションは、自身に建物内情報のデータベースが組み込まれるようにすることもできる。
【００４７】
この場合、該アプリケーションは、情報端末１００の現在地が屋内か屋外かを判定する必要はなく、単純に情報端末１００の傾き情報によってのみ表示の切り替えが行われる。
また、第１の実施形態および第２の実施形態において、マップアプリケーション１０１は、ＧＰＳ受信部１２１と、携帯無線受信部１２２と、無線ＬＡＮ受信部１２３とから取得する緯度、経度、高度の情報を用いて、緯度経度高度算出部１２４が現在地情報の判定を行ったが、これらに限られるものではない。
また、第１の実施形態および第２の実施形態において、垂直・水平判定部１３２は、ジャイロセンサー１３１から取得する角速度の情報を用いて、情報端末１００の傾きが、水平であるか垂直であるかを判定していたが、これに限られるものではない。
【００４８】
（１）本発明の一態様は、自装置の傾きを判定する傾き取得部と、前記傾き取得部が、傾きが水平であると判定したときは、水平に対応した情報を取得し、表示させる水平マップ情報表示処理部と、前記傾き取得部が、傾きが垂直であると判定したときは、垂直に対応した情報を取得し、表示させる垂直マップ情報表示処理部と、を備えることを特徴とする、情報端末である。
これにより、情報端末は、情報端末の傾け方によって、建物の各階情報である垂直マップ情報の表示と、現在地階における利便性の高い店舗情報である水平マップ情報の表示を、簡易に切り替えられ、直感的で分かりやすい屋内の位置情報を簡易な操作で取得できる。また、該取得情報を利用することで、近年増加している郊外型の大型ショッピングセンターで、迷うことなく目的地にたどり着くことができる。
【００４９】
（２）本発明の他の態様は、前記水平に対応した情報は、フロアマップであり、前記垂直に対応した情報は、各階情報であること、を特徴とする（１）に記載の情報端末である。
これにより、情報端末は、傾きを水平にすると、フロアマップが表示され、傾きを垂直にすると、各階情報が表示されるので、情報端末の傾け方によって、建物の各階情報の表示と、現在地階における利便性の高い店舗情報であるフロアマップの表示を、簡易に切り替えることで、直感的で分かりやすい屋内の位置情報を簡易な操作で取得できる。
【００５０】
（３）本発明の他の態様は、自装置の現在地を取得する位置検出部を備え、前記水平マップ情報表示処理部は、前記フロアマップを表示する際に、前記フロアマップ内に前記取得した現在地を示すマークを表示させ、前記垂直マップ情報表示処理部は、前記各階情報を表示する際に、前記各階情報内に前記取得した現在地に属する階を示すマークを表示させること、を特徴とする（１）に記載の情報端末である。
これにより、情報端末は、傾きを水平にすると、フロアマップに現在地を示すマークが表示され、傾きを垂直にすると、各階情報に現在地に属する階が表示されるので、直感的で分かりやすい屋内での位置情報を簡易な操作で取得できる。
【００５１】
（４）本発明の他の態様は、自装置の傾きを判定する第１の過程と、前記第１の過程が、傾きが水平であると判定したときは、水平に対応した情報を取得し、表示させる第２の過程と、前記第２の過程が、傾きが垂直であると判定したときは、垂直に対応した情報を取得し、表示させる第３の過程と、を備えることを特徴とする、情報教示方法である。
これにより、前記情報表示方法を持つアプリケーションをインストールした情報端末は、屋内において、情報端末の傾け方によって、建物の各階情報である垂直マップ情報の表示と、現在地階における利便性の高い店舗情報である水平マップ情報の表示を、簡易に切り替えることで、直感的で分かりやすい屋内の位置情報を簡易な操作で取得できる。また、該取得情報を利用することで、近年増加している郊外型の大型ショッピングセンターで、迷うことなく目的地にたどり着くことができる。
【００５２】
（５）本発明の他の態様は、コンピュータを、請求項１から請求項３のうちいずれか一項に記載の情報端末、として機能させるためのプログラムである。
これにより、情報端末は、情報端末の傾け方によって、建物の各階情報である垂直マップ情報の表示と、現在地階における利便性の高い店舗情報である水平マップ情報の表示を、簡易に切り替えられ、直感的で分かりやすい屋内の位置情報を簡易な操作で取得できる。また、該取得情報を利用することで、近年増加している郊外型の大型ショッピングセンターで、迷うことなく目的地にたどり着くことができる。
【産業上の利用可能性】
【００５３】
本発明は、情報端末により情報を表示する際に好適に用いられるが、これに限られない。
【符号の説明】
【００５４】
１００・・・情報端末
１０１・・・マップアプリケーション
１０２・・・位置検出部
１０３・・・傾き検出部
１０４・・・表示パネル
１０５・・・マップ情報サーバ
１０６・・・ネットワーク
１１１・・・屋内・屋外判定部
１１２・・・傾き取得部
１１３・・・垂直マップ情報表示処理部
１１４・・・屋内垂直位置判定部
１１５・・・水平マップ情報表示処理部
１１６・・・屋内水平位置判定部
１２１・・・ＧＰＳ受信部
１２２・・・携帯無線受信部
１２３・・・無線ＬＡＮ受信部
１２４・・・緯度経度高度算出部
１３１・・・ジャイロセンサー
１３２・・・垂直・水平判定部
１５１・・・屋外マップ情報記憶部
１５２・・・垂直マップ情報記憶部
１５３・・・水平マップ情報記憶部
【図１】
2014138387.tif 000003
【図２】
2014138387.tif 000004
【図３】
2014138387.tif 000005
【図４】
2014138387.tif 000006